(57)【特許請求の範囲】
【請求項１】
（ａ）端子部材（３２）を備えるカード（３１）を収容するハウジング（１１）と、
（ｂ）該ハウジング（１１）に取付けられ、前記カード（３１）の端子部材（３２）と接触する接続端子（１３）と、
（ｃ）前記ハウジング（１１）に一端が回動可能に取付けられ、前記ハウジング（１１）及び該ハウジング（１１）に収容されたカード（３１）の少なくとも一部の上方を覆って蓋をするためのカバー部材（２１）とを有するカード用コネクタ（１０）であって、
（ｄ）前記カバー部材（２１）は、弾性変形することによって前記カード（３１）の両側に係合し、該カード（３１）を両側から把持するための把持部（２６、３５、３７、４２）を備えることを特徴とするカード用コネクタ（１０）。
【請求項２】
前記把持部（２６、３５、３７、４２）は、前記カバー部材（２１）のカード（３１）と対向する面よりもカード（３１）寄りの位置に配設される請求項１に記載のカード用コネクタ（１０）。
【請求項３】
前記把持部（２６、３５、３７、４２）は前記カバー部材（２１）の幅方向の中心に向けて突出する係合突出部（２６ａ、３５ａ、３７ａ、４２ａ）を備え、該係合突出部（２６ａ、３５ａ、３７ａ、４２ａ）は前記カード（３１）の両側と当接して弾性的に変位する請求項１又は２に記載のカード用コネクタ（１０）。
【請求項４】
前記係合突出部（２６ａ、３５ａ、３７ａ、４２ａ）の突出端同士の間隔は、少なくとも前記カード（３１）の両側に係合しない状態では、前記カード（３１）の幅より狭くなるように形成されている請求項３に記載のカード用コネクタ（１０）。
【請求項５】
前記把持部（２６、３５、３７、４２）は、前記カバー部材（２１）と一体的に形成される請求項１〜４のいずれか１項に記載のカード用コネクタ（１０）。
【請求項６】
前記把持部（２６、３５、３７、４２）は、前記カバー部材（２１）のハウジング（１１）に取付けられる端と反対側の端に配設される請求項１〜５のいずれか１項に記載のカード用コネクタ（１０）。
【発明の詳細な説明】
【技術分野】
【０００１】
本発明は、カード用コネクタに関するものである。
【背景技術】
【０００２】
従来、携帯電話機、ＰＤＡ（Ｐｅｒｓｏｎａｌ  Ｄｉｇｉｔａｌ  Ａｓｓｉｓｔａｎｔ）等の電子機器においては、ＳＩＭ（Ｓｕｂｓｃｒｉｂｅｒ  Ｉｄｅｎｔｉｔｙ  Ｍｏｄｕｌｅ）カードのような小型のメモリカード等のカードをカード用コネクタを介して装着することができるようになっている（例えば、特許文献１参照。）。
【０００３】
図１２は従来のカード用コネクタを示す図である。
【０００４】
図において、３０１はコネクタ本体であり、３０２は図示されないメモリカード等のカードを保持するカバー部材であり、前記コネクタ本体３０１に取付けられている。該コネクタ本体３０１は、内部にカードを収容することができる図示されない凹部を備え、該凹部の底面には、前記カードの下面に露出しているコンタクトパッドと接続される接続端子３０７が配設されている。また、前記カバー部材３０２は、側面部３０３を備え、該側面部３０３の一端が回動支点３０４を介してコネクタ本体３０１に回動可能に取付けられている。そして、前記カバー部材３０２は、回動支点３０４をヒンジとして図において矢印で示されるように回動し、コネクタ本体３０１の上方を覆って蓋（ふた）をするようになっている。
【０００５】
ここで、前記側面部３０３には、カードを保持するための保持片３０８が配設されている。そして、利用者が手指等によって、カードを側面部３０３の長軸方向に沿って、図における右上から左下に向けてスライドさせ、前記保持片３０８とカバー部材３０２の天板との間に挿入する。これにより、カードは、前記保持片３０８によって下方から支持された状態でカバー部材３０２に保持される。そして、この状態で該カバー部材３０２を図において矢印で示されるように回動することによって、カバー部材３０２に保持されたカードは、コネクタ本体３０１の凹部内に収容され、コンタクトパッドが接続端子３０７と接続されて装填（てん）される。また、カードを収容したコネクタ本体３０１の上方は、カバー部材３０２によって覆われて蓋がされる。
【０００６】
一方、カードを取外す場合、カバー部材３０２を図において矢印で示されるのと反対の方向に回動すると、カードはカバー部材３０２に保持された状態でコネクタ本体３０１から取出される。そして、利用者が手指等によって、カードを側面部３０３の長軸方向に沿って、図における左下から右上に向けてスライドさせ、カードを取外す。
【０００７】
このように、カードの装填及び取外しに際して、カードをコネクタ本体３０１の上方において斜め方向に上下させるようになっているので、カード用コネクタの周囲に他の電子部品が密集して実装されている場合のように、カード用コネクタの周囲に十分なスペースが存在しない場合であっても、利用者はカードを容易に取扱うことができる。
【特許文献１】特開２００３−３０８９０７号公報
【発明の開示】
【発明が解決しようとする課題】
【０００８】
しかしながら、前記従来のカード用コネクタは、カードがコネクタ本体３０１の凹部内に平らに載置された状態で誤ってカバー部材３０２を回動して蓋をすると、保持片３０８がカードに当接して損傷を受けてしまう。カードをコネクタ本体３０１の凹部内に平らに載置するのは、利用者が手指等によって保持しているカードをコネクタ本体３０１の上で放すだけでよいので、カード用コネクタの周囲に十分なスペースが存在しない場合であっても、容易に行うことができる。そのため、カードをコネクタ本体３０１の凹部内に平らに載置し、そのままカバー部材３０２を回動して蓋をしてしまうことがあり得る。このような場合、保持片３０８は、カードに当接して強い力を受けるので、折曲がったり、欠落したりしてしまう。
【０００９】
もっとも、保持片３０８を省略してしまうことも考えられる。しかし、該保持片３０８を省略すると、カードを取外す場合、カバー部材３０２を回動して蓋を開けてもカードがコネクタ本体３０１の凹部内に残留してしまう。そして、コネクタ本体３０１の凹部内に残留した小型のカードを利用者が手指等によって取出すことは、カード用コネクタの周囲に十分なスペースが存在しない場合、極めて困難である。
【００１０】
本発明は、前記従来のカード用コネクタの問題点を解決して、弾性変形することによってカードの両側に係合してカードを両側から把持するための把持部をカバー部材に配設することにより、カードの装填の際に、カードをハウジング上に載置した状態でカバー部材を回動して蓋をしても、カバー部材が損傷を受けることがなく、カードの取外しに際してカバー部材を回動して蓋を開けると、カードが確実にカバー部材に保持され、カードを容易に取外すことができるカード用コネクタを提供することを目的とする。
【課題を解決するための手段】
【００１１】
そのために、本発明のカード用コネクタにおいては、端子部材を備えるカードを収容するハウジングと、該ハウジングに取付けられ、前記カードの端子部材と接触する接続端子と、前記ハウジングに一端が回動可能に取付けられ、前記ハウジング及び該ハウジングに収容されたカードの少なくとも一部の上方を覆って蓋をするためのカバー部材とを有するカード用コネクタであって、前記カバー部材は、弾性変形することによって前記カードの両側に係合し、該カードを両側から把持するための把持部を備える。
【００１２】
本発明の他のカード用コネクタにおいては、さらに、前記把持部は、前記カバー部材のカードと対向する面よりもカード寄りの位置に配設される。
【００１３】
本発明の更に他のカード用コネクタにおいては、さらに、前記把持部は前記カバー部材の幅方向の中心に向けて突出する係合突出部を備え、該係合突出部は前記カードの両側と当接して弾性的に変位する。
【００１４】
本発明の更に他のカード用コネクタにおいては、さらに、前記係合突出部の突出端同士の間隔は、少なくとも前記カードの両側に係合しない状態では、前記カードの幅より狭くなるように形成されている。
【００１５】
本発明の更に他のカード用コネクタにおいては、さらに、前記把持部は、前記カバー部材と一体的に形成される。
【００１６】
本発明の更に他のカード用コネクタにおいては、さらに、前記把持部は、前記カバー部材のハウジングに取付けられる端と反対側の端に配設される。
【発明の効果】
【００１７】
本発明によれば、カード用コネクタは、弾性変形することによってカードの両側に係合してカードを両側から把持するための把持部がカバー部材に配設されている。そのため、カードの装填の際にカードをハウジング上に載置した状態でカバー部材を回動して蓋をしても、カバー部材が損傷を受けることがなく、カードの取外しに際してカバー部材を回動して蓋を開けると、カードが確実にカバー部材に保持され、カードを容易に取外すことができる。
【発明を実施するための最良の形態】
【００１８】
以下、本発明の実施の形態について図面を参照しながら詳細に説明する。
【００１９】
図１は本発明の第１の実施の形態におけるカード用コネクタを示す第１の斜視図、図２は本発明の第１の実施の形態におけるカード用コネクタを示す第２の斜視図、図３は本発明の第１の実施の形態におけるカード用コネクタを示す第３の斜視図である。
【００２０】
図において、１０は本実施の形態におけるカード用コネクタであり、図示されない電子機器に取付けられる。そして、前記カード用コネクタ１０の内部には後述されるカード３１が収容され、前記カード用コネクタ１０を介して、前記電子機器にカード３１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２１】
また、カード３１は、例えば、ＳＩＭカード、ＭＭＣ（Ｍｕｌｔｉ  Ｍｅｄｉａ  Ｃａｒｄ）（Ｒ）、ＳＤ（Ｓｅｃｕｒｅ  Ｄｉｇｉｔａｌ）（Ｒ）カード、ミニＳＤ（Ｒ）カード、メモリスティック（Ｒ）、スマートメディア（Ｒ）、Ｔ−Ｆｌａｓｈ（Ｔｒａｎｓ  Ｆｌａｓｈ）メモリカード、マイクロＳＤ（Ｒ）カード等のＩＣカードであり、いかなる種類のカードであってもよいが、本実施の形態においては、Ｔ−Ｆｌａｓｈメモリカードであるものとして説明する。また、本実施の形態において、カード用コネクタ１０の各部の構成及び動作を説明するために使用される上、下、左、右、前、後等の方向を示す表現は、絶対的なものでなく相対的なものであり、カード用コネクタ１０又はその部品が図に示される姿勢である場合に適切であるが、カード用コネクタ１０又はその部品の姿勢が変化した場合には、姿勢の変化に応じて変更して解釈されるべきものである。
【００２２】
ここで、前記カード用コネクタ１０は、合成樹脂等の絶縁材によって一体的に成形された、カード３１を収容するハウジング１１と、金属等の導電性材料から成る板材を打抜き、折曲げ等の加工を施すことによって成形され、ハウジング１１に回動可能に取付けられたカバー部材２１とを有する。該カバー部材２１はハウジング１１の上方を覆って蓋をする部材であり、図１〜３は、カバー部材２１が蓋を開けた位置にある状態を示している。なお、後述されるように、カバー部材２１が蓋を閉じた位置にある状態において、カード用コネクタ１０は、概略扁（へん）平な直方体形状を備える。
【００２３】
図に示されるように、ハウジング１１は、前縁側、すなわち、手前側（図２における右側）が略Ｕ字状に切取られた形状を備える底壁部１１ａ、及び、該底壁部１１ａの奥部において奥側（図２における左側）の縁に沿って延在し、底壁部１１ａから立設する奥壁部１１ｂを有する。ここで、底壁部１１ａの上面には、前後方向（図２における横方向）に延在するように形成された端子装填溝１１ｅが複数形成され、各端子装填溝１１ｅに接続端子としての端子１３が挿入されて取付けられている。そして、該端子１３は、金属板等のばね性を備える導電性の板材から成り、カンチレバー状に形成され、その根本部が前記端子装填溝１１ｅ内における底壁部１１ａの手前側の縁に近い部分に取付けられ、その先端部１３ｂが奥壁部１１ｂに向けて斜め上方に延在して底壁部１１ａの上面より上方に突出している。前記端子１３の先端部１３ｂは、接触部として機能し、カード３１の下面に配設された後述される端子部材としてのコンタクトパッド３２に弾性的に当接して電気的に接続される。また、前記端子１３の根本部から延在するソルダーテール部１３ａは、底壁部１１ａの手前側の縁から手前に向けて突出し、前記電子機器における配線基板等に形成された信号線、コンタクトパッド、端子等、すなわち、相手側端子部材に、はんだ付け等によって電気的に接続される。
【００２４】
そして、ハウジング１１は、底壁部１１ａの一方の側縁に沿って前後方向に延在する側壁部としての第１側壁部１１ｃ、及び、底壁部１１ａの他方の側縁に沿って前後方向に延在する側壁部としての第２側壁部１１ｄを有する。前記第１側壁部１１ｃ及び第２側壁部１１ｄには、金属板等の板材から成るネイル１４が取付けられている。該ネイル１４は、カード用コネクタ１０を電子機器における配線基板等に固定するために、該配線基板等に形成された接続部に固定される。
【００２５】
また、前記第１側壁部１１ｃ及び第２側壁部１１ｄの外側面には、カバー部材２１を蓋を閉じた状態で維持するためのロック係合部１５が形成されている。該ロック係合部１５は、概略Ｌ字状に形成され、カバー部材２１のロック係合片２４が進入する進入部１５ａ、及び、前記ロック係合片２４が係合する係合部１５ｂを備える。さらに、前記第１側壁部１１ｃ及び第２側壁部１１ｄの外側面における奥側の端部近傍には、前後方向に向けて延在する支軸係合溝１６が形成されている。該支軸係合溝１６内には、カバー部材２１の図示されない回動支軸が、回動可能に、かつ、スライド可能に挿入されている。
【００２６】
一方、カバー部材２１は、概略矩（く）形状の天板部２２と、該天板部２２の両側縁に沿って前後方向に延在する側面部２３とを有する。なお、該側面部２３は、天板部２２と一体的に形成された部材であり、天板部２２に対してほぼ直角となるように折曲げることによって形成されている。そして、各側面部２３の奥側（図１における下側）の端部には図示されない回動支軸を備える枢軸部２３ａが形成されている。ここで、前記回動支軸は、枢軸部２３ａの内側面から内方へ向いて突出し、ハウジング１１の支軸係合溝１６内に回動可能に、かつ、スライド可能に挿入されている。これにより、前記カバー部材２１は、ハウジング１１に対して回動可能に、かつ、前後方向にスライド可能となっている。
【００２７】
また、各側面部２３は、下側（図１における手前側）端縁、すなわち、天板部２２と反対側の端縁に、ロック係合片２４を備える。該ロック係合片２４は、側面部２３から突出するように一体的に形成された舌片状の部材であり、側面部２３に対してほぼ直角となるように曲げることによって形成され、天板部２２とほぼ平行に内方へ向いて突出する。そして、前記ロック係合片２４は、カバー部材２１を回動させてハウジング１１の上方を覆って蓋をすると、ハウジング１１の第１側壁部１１ｃ及び第２側壁部１１ｄに形成された進入部１５ａに上方から進入し、さらに、カバー部材２１を手前側にスライドさせると、係合部１５ｂと係合して、カバー部材２１とハウジング１１とをロックする。
【００２８】
さらに、各側面部２３の手前側（図１における上側）の端部には、先端が内方となるように概略Ｕ字状に湾曲された連結部としての湾曲部２５が形成され、該湾曲部２５の先端には、弾性変形することによってカード３１の両側に係合し、該カード３１を両側から把持するための把持部２６が一体的に形成されている。そして、該把持部２６は、天板部２２に対してほぼ垂直に天板部２２の下方に向けて突出するように延在し、ほぼ平板状の平板部２６ｂ、及び、カバー部材２１の幅方向の中心に向けて突出する湾曲された係合突出部２６ａを備える。左右の平板部２６ｂは互いにほぼ平行となるように配設され、前記係合突出部２６ａにおいては、湾曲した突出端が平板部２６ｂよりも内方へ突出し、先端部が平板部２６ｂよりも外方へ突出している。さらに、左右の係合突出部２６ａの湾曲した突出端同士の間隔は、カード３１の幅よりも狭くなるように形成されている。
【００２９】
ここで、前記湾曲部２５は、金属等の板材を曲げ加工して形成されたものであり、弾性変形することによって、ばねとして機能する。この場合、前記湾曲部２５は、天板部２２及び側面部２３から独立して十分な長さを備え、弾性変形する部位が長いので、先端が広い範囲に亘（わた）って弾性的に変位することができる。また、前記湾曲部２５の先端に形成された把持部２６の係合突出部２６ａ及び平板部２６ｂも、それ自体が金属等の板材を曲げ加工して形成されたものであり、弾性変形することによって、ばねとして機能する。そのため、前記係合突出部２６ａは、広い範囲に亘って弾性的に変位することができ、カード３１の幅寸法の誤差やカード３１の載置された位置のずれに起因するカード３１の側面の位置の変動を吸収することができる。
【００３０】
なお、前記天板部２２は、手前側両端から突出する保護部２２ａを備える。該保護部２２ａは、前記湾曲部２５の上を覆うような形状を備え、前記湾曲部２５及び把持部２６が外力によって損傷を受けることがないように保護する。
【００３１】
次に、前記構成のカード用コネクタ１０にカード３１を装着する動作について説明する。
【００３２】
図４は本発明の第１の実施の形態におけるカード用コネクタにカードを装着する動作を示す図である。
【００３３】
まず、図４（ａ）に示されるように、カバー部材２１を蓋を開けた状態とする。この場合、カード３１の装着を容易に行うことができるように、カバー部材２１とハウジング１１との角度が９０度以上となるように、大きく開けておくことが望ましい。
【００３４】
続いて、利用者又はオペレータが手指等によって、カード３１をハウジング１１の底壁部１１ａ上に載置してハウジング１１内に収容する。この場合、カード３１の端子部材としてのコンタクトパッド３２が形成された面が下を向き、コンタクトパッド３２がハウジング１１の端子１３の先端部１３ｂに当接することができるように、カード３１を底壁部１１ａ上に載置する。
【００３５】
この際、図４（ｂ）に示されるように、カード３１のコンタクトパッド３２が形成された側の端部、すなわち、先端部が下となるような起き上がった姿勢にカード３１を保持し、まず、カード３１の先端部をハウジング１１の底壁部１１ａ上の奥壁部１１ｂ近傍に当接させ、続いて、前記先端部を中心としてカード３１を回動させるようにしてカード３１の後端部を下方に移動させ、図４（ｂ）において点線で示されるように、カード３１がほぼ平らな状態で底壁部１１ａ上に載置されてハウジング１１内に収容されるようにすることが望ましい。このような手順でカード３１をハウジング１１内に収容すると、起き上がった姿勢のカード３１を手指等によって保持してカード用コネクタ１０内に移載し、その後、カード３１の保持を解除するだけでよいので、カード用コネクタ１０の周囲に他の電子部品が密集して実装されている場合のように、カード用コネクタ１０の周囲に十分なスペースが存在しない場合であっても、利用者又はオペレータは、手指等によってカード３１を容易に取扱ってハウジング１１内に収容することができる。
【００３６】
そして、図４（ｂ）において点線で示されるように、カード３１がほぼ平らな状態で底壁部１１ａ上に載置されてハウジング１１内に収容されると、利用者又はオペレータは、カバー部材２１を回動支軸を中心にして回動させて倒し、図４（ｃ）に示されるように、蓋を閉じた状態とする。これにより、ハウジング１１及び該ハウジング１１内に収容されたカード３１の少なくとも一部の上方はカバー部材２１によって覆われる。
【００３７】
ここで、カバー部材２１を回動させてハウジング１１及びカード３１の上方を覆って蓋をすると、カバー部材２１の把持部２６がカード３１を両側から把持した状態になる。この場合、把持部２６は、天板部２２より下方に突出し、係合突出部２６ａの突出端同士の間隔がカード３１の幅よりも狭いので、カバー部材２１をハウジング１１内に収容されたカード３１の上方から下方に向けて移動させると、係合突出部２６ａの突出端がカード３１の両側面の上縁に当接する。しかし、把持部２６はばねとして機能する部材であり、また、係合突出部２６ａは湾曲して傾斜した面を備えるので、カード３１の両側面の上縁に当接した状態で更に下方向に移動させられると、把持部２６は、係合突出部２６ａの突出端同士の間隔が広がる方向、すなわち、外方向に弾性的に変位する。そのため、把持部２６は、係合突出部２６ａの突出端がカード３１の両側面を擦りながら、下方向に移動する。そして、係合突出部２６ａの突出端がカード３１の両側面を通り過ぎて、該カード３１の両側面の下縁より下方にまで到達すると、把持部２６は元の形状に復帰する方向に変位する。これにより、把持部２６は、カード３１の両側に係合し、カード３１を両側から把持する状態になる。
【００３８】
また、カバー部材２１を回動させてハウジング１１の上方を覆って蓋をすると、ロック係合片２４がハウジング１１の第１側壁部１１ｃ及び第２側壁部１１ｄに形成された進入部１５ａに上方から進入する。そして、利用者又はオペレータが手指等によってカバー部材２１を手前側にスライドさせると、ロック係合片２４が係合部１５ｂと係合して、カバー部材２１とハウジング１１とをロックする。これにより、カード用コネクタ１０にカード３１を装着する動作が終了する。
【００３９】
なお、カード用コネクタ１０に装着された状態においては、カード３１が、カバー部材２１によって下方に押されてハウジング１１の底壁部１１ａの上面に押付けられ、カード用コネクタ１０の端子１３の先端部１３ｂがカード３１のコンタクトパッド３２に弾性的に当接して電気的に接続される。
【００４０】
また、ここでは、カバー部材２１を蓋を開けた状態とし、カード３１をほぼ平らな状態で底壁部１１ａ上に載置してハウジング１１内に収容させてから、前記カバー部材２１を回動させて蓋を閉じた状態とする動作についてのみ説明したが、蓋を開けた状態のカバー部材２１にカード３１を保持させ、カバー部材２１をカード３１とともに回動させて蓋を閉じた状態とすることもできる。この場合、利用者又はオペレータが手指等により、蓋を開けた状態のカバー部材２１にカード３１を押付けることによって、カバー部材２１の把持部２６にカード３１を両側から把持させる。そして、カバー部材２１をカード３１とともに回動させ、ハウジング１１の上方を覆って蓋をする。これにより、カード３１は底壁部１１ａ上に載置されてハウジング１１内に収容される。
【００４１】
次に、前記カード用コネクタ１０からカード３１を取外す動作について説明する。
【００４２】
図５は本発明の第１の実施の形態におけるカード用コネクタからカードを取外す動作を示す図である。
【００４３】
まず、利用者又はオペレータが手指等によってカバー部材２１を奥側（図３中、上方向）にスライドさせ、ロック係合片２４と係合部１５ｂとの係合を解除し、カバー部材２１とハウジング１１とをロック解除する。続いて、カバー部材２１をカード３１を装着する動作の場合と反対方向に回動させ、図５（ａ）に示されるように、蓋を開けた状態とする。この場合、カード３１は、把持部２６によって両側から把持された状態となっているので、カバー部材２１とともに回動してハウジング１１内から取出される。
【００４４】
続いて、利用者又はオペレータは、図５（ｂ）に示されるように、カバー部材２１を大きく開けた状態に保持しながら、カード３１の後端部を手前側に引いて、カード３１をカバー部材２１の天板部２２から離れる方向に傾斜させる。この場合、カード３１は、把持部２６によって両側から把持されているが、把持部２６はばねとして機能する部材であり、また、係合突出部２６ａは湾曲して傾斜した面を備えるので、利用者又はオペレータの手指等によって、カード３１が天板部２２から離れる方向に移動させられると、把持部２６は外方向に弾性的に変位する。そのため、カード３１は、両側面が係合突出部２６ａの突出端を擦りながら、天板部２２から離れる方向に移動する。そして、カード３１の両側面が係合突出部２６ａの突出端を通り過ぎると、把持部２６は元の形状に復帰する方向に変位する。これにより、把持部２６は、カード３１の両側との係合を解除し、カード３１を把持から開放する。
【００４５】
そして、利用者又はオペレータは、手指等によってカード３１を把持し、該カード３１をカード用コネクタ１０から取外す。この場合、起き上がった姿勢のカード３１を手指等によって保持してカード用コネクタ１０外に移動させるだけでよいので、カード用コネクタ１０の周囲に他の電子部品が密集して実装されている場合のように、カード用コネクタ１０の周囲に十分なスペースが存在しない場合であっても、利用者又はオペレータは、手指等によってカード３１を容易に取扱ってカード用コネクタ１０から取外すことができる。これにより、カード用コネクタ１０からカード３１を取外す動作が終了する。
【００４６】
このように、本実施の形態においては、弾性変形することによってカード３１の両側に係合し、カード３１を両側から把持する把持部２６が、カバー部材２１のカード３１と対向する側に配設されている。そのため、カード用コネクタ１０にカード３１を装着する際に、該カード３１を底壁部１１ａ上に載置した状態で、カバー部材２１を回動して蓋をしても、カバー部材２１が損傷を受けることがない。
【００４７】
また、底壁部１１ａ上に載置されたカード３１の上方をカバー部材２１で覆うことによって、カバー部材２１の把持部２６がカード３１を両側から把持するので、カード３１をカード用コネクタ１０から取外す際に、カバー部材２１を回動して蓋を開けると、カード３１が確実にカバー部材２１の把持部２６に保持され、起き上がった姿勢となる。そのため、カード用コネクタ１０の周囲に十分なスペースが存在しない場合であっても、カード用コネクタ１０からカード３１を容易に取外すことができる。
【００４８】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４９】
図６は本発明の第２の実施の形態におけるカード用コネクタを示す第１の斜視図、図７は本発明の第２の実施の形態におけるカード用コネクタを示す第２の斜視図である。
【００５０】
本実施の形態において、カバー部材２１は、弾性変形することによってカード３１の両側に係合し、該カード３１を両側から把持する把持部３５を有する。該把持部３５は、天板部２２の手前側の端部に一体的に形成された連結部としての横棒部３４の先端を曲げて形成され、天板部２２からほぼ垂直に下方に突出するように延在している。また、前記把持部３５は、ほぼ平板状の平板部３５ｂ、及び、カバー部材２１の幅方向の中心に向けて突出する湾曲された係合突出部３５ａを備える。左右の平板部３５ｂは互いにほぼ平行となるように配設され、前記係合突出部３５ａにおいては、湾曲した突出端が平板部３５ｂよりも内方へ突出し、先端部が前記突出端よりも外方へ突出している。さらに、左右の係合突出部３５ａの湾曲した突出端同士の間隔は、カード３１の幅よりも狭くなるように形成されている。
【００５１】
ここで、前記横棒部３４は、金属等の板材を加工して形成されたものであり、弾性変形することによって、ばねとして機能する。この場合、前記横棒部３４は、天板部２２から独立しているので、先端が広い範囲に亘って弾性的に変位することができる。また、前記横棒部３４の先端に形成された把持部３５の係合突出部３５ａ及び平板部３５ｂも、それ自体が金属等の板材を曲げ加工して形成されたものであり、弾性変形することによって、ばねとして機能する。そのため、前記係合突出部３５ａは、広い範囲に亘って弾性的に変位することができ、カード３１の幅寸法の誤差やカード３１の載置された位置のずれに起因するカード３１の側面の位置の変動を吸収することができる。
【００５２】
なお、その他の点の構成及び動作については、前記第１の実施の形態と同様であるので、説明を省略する。
【００５３】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００５４】
図８は本発明の第３の実施の形態におけるカード用コネクタを示す第１の斜視図、図９は本発明の第３の実施の形態におけるカード用コネクタを示す第２の斜視図である。
【００５５】
本実施の形態において、カバー部材２１は、弾性変形することによってカード３１の両側に係合し、該カード３１を両側から把持する把持部３７を有する。該把持部３７は、天板部２２の手前側の端部に一体的に形成され、天板部２２からほぼ垂直に下方に突出するように延在し、ほぼ平板状の平板部３７ｂ、及び、カバー部材２１の幅方向の中心に向けて突出する湾曲された係合突出部３７ａを備える。左右の平板部３７ｂは互いにほぼ平行となるように配設され、前記係合突出部３７ａにおいては、湾曲した突出端が平板部３７ｂよりも内方へ突出し、先端部が前記突出端よりも外方へ突出している。さらに、左右の係合突出部３７ａの湾曲した突出端同士の間隔は、カード３１の幅よりも狭くなるように形成されている。
【００５６】
ここで、前記把持部３７の係合突出部３７ａ及び平板部３７ｂは、金属等の板材を曲げ加工して形成されたものであり、弾性変形することによって、ばねとして機能する。そのため、前記係合突出部３７ａは、広い範囲に亘って弾性的に変位することができ、カード３１の幅寸法の誤差やカード３１の載置された位置のずれに起因するカード３１の側面の位置の変動を吸収することができる。
【００５７】
また、各側面部２３の手前側の端部には、先端が内方となるように概略Ｕ字状に湾曲された保護部３８が形成されている。該保護部３８は、把持部３７の手前側に位置し、該把持部３７の手前側を覆うような形状を備え、前記把持部３７が外力によって損傷を受けることがないように保護する。
【００５８】
なお、その他の点の構成及び動作については、前記第１の実施の形態と同様であるので、説明を省略する。
【００５９】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００６０】
図１０は本発明の第４の実施の形態におけるカード用コネクタを示す第１の斜視図、図１１は本発明の第４の実施の形態におけるカード用コネクタを示す第２の斜視図である。
【００６１】
本実施の形態において、カバー部材２１は、各側面部２３の手前側の下側部分に形成された連結部としてのカンチレバー部４１を有する。該カンチレバー部４１は、スリット４１ａによって側面部２３から分離されて形成され、根本部が側面部２３に接続され、先端には、弾性変形することによってカード３１の両側に係合し、該カード３１を両側から把持するための把持部４２が一体的に形成されている。そして、該把持部４２は、カンチレバー部４１の先端から突出するように一体的に形成された細長い板状の部材であり、カンチレバー部４１に対してほぼ直角となるように曲げることによって形成され、天板部２２とほぼ平行に内方へ向いて突出する接続部４２ｂを備える。さらに、前記把持部４２は、接続部４２ｂの先端を上方に曲げることによって形成され、カバー部材２１の幅方向の中心に向けて突出する概略く字状に湾曲された係合突出部４２ａを備える。そして、左右の係合突出部４２ａにおいては、湾曲した突出端が内方へ突出し、先端部が突出端よりも外方へ突出している。さらに、左右の係合突出部４２ａの湾曲した突出端同士の間隔は、カード３１の幅よりも狭くなるように形成されている。
【００６２】
ここで、前記カンチレバー部４１は、金属等の板材を加工して形成されたものであり、弾性変形することによって、ばねとして機能する。この場合、前記カンチレバー部４１は、側面部２３から独立して十分な長さを備え、弾性変形する部位が長いので、先端が広い範囲に亘って弾性的に変位することができる。また、前記カンチレバー部４１の先端に形成された把持部４２の係合突出部４２ａ及び接続部４２ｂも、それ自体が金属等の板材を曲げ加工して形成されたものであり、弾性変形することによって、ばねとして機能する。そのため、前記係合突出部４２ａは、広い範囲に亘って弾性的に変位することができ、カード３１の幅寸法の誤差やカード３１の載置された位置のずれに起因するカード３１の側面の位置の変動を吸収することができる。
【００６３】
また、各側面部２３の手前側の端部には、側面部２３に対してほぼ直角となるように内方に曲げ、さらに、先端が上方を向くように曲げて、概略Ｕ字状に湾曲された保護部４４が形成されている。該保護部４４は、把持部４２の手前側に位置し、該把持部４２の手前側を覆うような形状を備え、前記把持部４２が外力によって損傷を受けることがないように保護する。
【００６４】
なお、その他の点の構成及び動作については、前記第１の実施の形態と同様であるので、説明を省略する。
【００６５】
また、本発明は前記実施の形態に限定されるものではなく、本発明の趣旨に基づいて種々変形させることが可能であり、それらを本発明の範囲から排除するものではない。
【図面の簡単な説明】
【００６６】
【図１】本発明の第１の実施の形態におけるカード用コネクタを示す第１の斜視図である。
【図２】本発明の第１の実施の形態におけるカード用コネクタを示す第２の斜視図である。
【図３】本発明の第１の実施の形態におけるカード用コネクタを示す第３の斜視図である。
【図４】本発明の第１の実施の形態におけるカード用コネクタにカードを装着する動作を示す図である。
【図５】本発明の第１の実施の形態におけるカード用コネクタからカードを取外す動作を示す図である。
【図６】本発明の第２の実施の形態におけるカード用コネクタを示す第１の斜視図である。
【図７】本発明の第２の実施の形態におけるカード用コネクタを示す第２の斜視図である。
【図８】本発明の第３の実施の形態におけるカード用コネクタを示す第１の斜視図である。
【図９】本発明の第３の実施の形態におけるカード用コネクタを示す第２の斜視図である。
【図１０】本発明の第４の実施の形態におけるカード用コネクタを示す第１の斜視図である。
【図１１】本発明の第４の実施の形態におけるカード用コネクタを示す第２の斜視図である。
【図１２】従来のカード用コネクタを示す図である。
【符号の説明】
【００６７】
１０    カード用コネクタ
１１    ハウジング
１１ａ    底壁部
１１ｂ    奥壁部
１１ｃ    第１側壁部
１１ｄ    第２側壁部
１１ｅ    端子装填溝
１３    端子
１３ａ    ソルダーテール部
１３ｂ    先端部
１４    ネイル
１５    ロック係合部
１５ａ    進入部
１５ｂ    係合部
１６    支軸係合溝
２１、３０２    カバー部材
２２    天板部
２２ａ、３８、４４    保護部
２３、３０３    側面部
２３ａ    枢軸部
２４    ロック係合片
２５    湾曲部
２６、３５、３７、４２    把持部
２６ａ、３５ａ、３７ａ、４２ａ    係合突出部
２６ｂ、３５ｂ、３７ｂ    平板部
３１    カード
３２    コンタクトパッド
３４    横棒部
４１    カンチレバー部
４１ａ    スリット
４２ｂ    接続部
３０１    コネクタ本体
３０４    回動支点
３０７    接続端子
３０８    保持片
【図１】
0004535944.tif 000002
【図２】
0004535944.tif 000003
【図３】
0004535944.tif 000004
【図４】
0004535944.tif 000005
【図５】
0004535944.tif 000006
【図６】
0004535944.tif 000007
【図７】
0004535944.tif 000008
【図８】
0004535944.tif 000009
【図９】
0004535944.tif 000010
【図１０】
0004535944.tif 000011
【図１１】
0004535944.tif 000012
【図１２】
0004535944.tif 000013